(57)【要約】【課題】回収作業効率を向上できる硬貨処理装置および硬貨処理方法を提供する。【解決手段】外部から受け入れるばら硬貨をばら硬貨収納繰出部17に所定量収納した後に、余剰分のばら硬貨を包装部23で包装硬貨として包装硬貨収納繰出部24に収納する第１の余剰ばら硬貨処理を行う。包装硬貨収納繰出部24に包装硬貨を所定量まで収納した後に、余剰分のばら硬貨をばら硬貨回収箱18に収納する第２の余剰ばら硬貨処理を行う。ばら硬貨回収箱18にばら硬貨を所定量収納した後に、余剰分のばら硬貨を包装部23で包装硬貨として包装硬貨回収箱27および包装硬貨収納繰出部24に満杯まで収納する第３および第４の余剰ばら硬貨処理を行う。【選択図】図１
2014123225.tif 000002
【特許請求の範囲】
【請求項１】
外部からばら硬貨を受け入れる硬貨処理装置であって、
ばら硬貨を収納し、収納したばら硬貨を繰り出すばら硬貨収納繰出部と、
ばら硬貨を収納するばら硬貨回収部と、
ばら硬貨を包装する包装部と、
前記包装部で包装された包装硬貨を収納し、収納した包装硬貨を繰り出す包装硬貨収納繰出部と、
前記包装部で包装された包装硬貨を収納する包装硬貨回収部と、
前記受け入れるばら硬貨を前記ばら硬貨収納繰出部に所定量収納した後の余剰分のばら硬貨を前記包装部で包装硬貨として前記包装硬貨収納繰出部に収納する第１の余剰ばら硬貨処理、前記包装硬貨収納繰出部に包装硬貨を所定量まで収納した後の前記余剰分のばら硬貨をばら硬貨回収部に収納する第２の余剰ばら硬貨処理を行う制御手段と
を具備していることを特徴とする硬貨処理装置。
【請求項２】
前記制御手段は、前記ばら硬貨回収部にばら硬貨を所定量収納した後の前記余剰分のばら硬貨を前記包装部で包装硬貨として前記包装硬貨回収部および前記包装硬貨収納繰出部のいずれか一方に満杯まで収納する第３の余剰ばら硬貨処理、前記包装硬貨回収部および前記包装硬貨収納繰出部のいずれか一方に包装硬貨を満杯まで収納した後の前記余剰分のばら硬貨を前記包装部で包装硬貨として前記包装硬貨回収部および前記包装硬貨収納繰出部のいずれか他方に満杯まで収納する第４の余剰ばら硬貨処理を行う
ことを特徴とする請求項１記載の硬貨処理装置。
【請求項３】
前記ばら硬貨回収部は前記ばら硬貨収納繰出部に共用されており、
前記制御手段は、前記ばら硬貨収納繰出部にばら硬貨を第１の所定量収納したら前記第１の余剰ばら硬貨処理を行い、前記第２の余剰ばら硬貨処理にて前記ばら硬貨収納繰出部にばら硬貨を第２の所定量収納したら前記第３の余剰ばら硬貨処理を行う
ことを特徴とする請求項１または２記載の硬貨処理装置。
【請求項４】
ばら硬貨を収納し、収納したばら硬貨を繰り出すばら硬貨収納繰出部と、ばら硬貨を収納するばら硬貨回収部と、ばら硬貨を包装する包装部と、前記包装部で包装された包装硬貨を収納し、収納した包装硬貨を繰り出す包装硬貨収納繰出部と、前記包装部で包装された包装硬貨を収納する包装硬貨回収部とを備え、外部からばら硬貨を受け入れる硬貨処理装置における硬貨処理方法であって、
前記受け入れるばら硬貨を前記ばら硬貨収納繰出部に所定量収納した後の余剰分のばら硬貨を前記包装部で包装硬貨として前記包装硬貨収納繰出部に収納する第１の余剰ばら硬貨処理工程と、
前記包装硬貨収納繰出部に包装硬貨を所定量収納した後の前記余剰分のばら硬貨を前記ばら硬貨回収部に収納する第２の余剰ばら硬貨処理工程と
を具備していることを特徴とする硬貨処理方法。
【請求項５】
前記ばら硬貨回収部にばら硬貨を所定量収納した後の前記余剰分のばら硬貨を前記包装部で包装硬貨として前記包装硬貨回収部および前記包装硬貨収納繰出部のいずれか一方に満杯まで収納する第３の余剰ばら硬貨処理工程と、
前記包装硬貨回収部および前記包装硬貨収納繰出部のいずれか一方に包装硬貨を満杯まで収納した後の前記余剰分のばら硬貨を前記包装部で包装硬貨として前記包装硬貨回収部および前記包装硬貨収納繰出部のいずれか他方に満杯まで収納する第４の余剰ばら硬貨処理工程と
を具備していることを特徴とする請求項４記載の硬貨処理方法。
【請求項６】
前記ばら硬貨回収部は前記ばら硬貨収納繰出部に共用されており、
前記ばら硬貨収納繰出部にばら硬貨を第１の所定量収納したら前記第１の余剰ばら硬貨処理工程を行い、
前記第２の余剰ばら硬貨処理工程にて前記ばら硬貨収納繰出部にばら硬貨を第２の所定量収納したら前記第３の余剰ばら硬貨処理工程を行う
ことを特徴とする請求項４または５記載の硬貨処理方法。
【発明の詳細な説明】
【技術分野】
【０００１】
本発明は、外部からばら硬貨を受け入れる硬貨処理装置および硬貨処理方法に関する。
【背景技術】
【０００２】
従来、ばら硬貨の入出金、ばら硬貨の包装および包装硬貨の出金ができる硬貨処理装置では、入金されるばら硬貨を収納し、収納したばら硬貨を繰り出すことができるばら硬貨収納繰出部を有している。
【０００３】
このばら硬貨収納繰出部にばら硬貨が所定量収納された後には、所定量以上の余剰分のばら硬貨を繰り出し、包装部に送り込んでいる。包装部では、ばら硬貨を集積して包装することによって包装硬貨を作成し、作成した包装硬貨を包装硬貨収納繰出部に収納し、包装硬貨収納繰出部に包装硬貨が所定量収納された後には包装硬貨を包装硬貨回収部に収納している。包装硬貨収納繰出部は、複数本の包装硬貨を収納し、収納している包装硬貨を繰り出して出金可能としているが、包装硬貨回収部は包装硬貨を収納するだけで、繰り出すことはできない（例えば、特許文献１参照。）。
【先行技術文献】
【特許文献】
【０００４】
【特許文献１】特許第４３９１８５２号公報
【発明の概要】
【発明が解決しようとする課題】
【０００５】
ところで、金融機関などでは硬貨処理装置から回収した硬貨を金庫などに現送する際に、ばら硬貨の状態とすることが決められている場合があり、この場合、包装硬貨については包装を解いてばら状態としてから回収している。
【０００６】
従来の硬貨処理装置では、ばら硬貨収納繰出部にばら硬貨が所定量収納された後の所定量以上の余剰分のばら硬貨については全て包装して包装硬貨の状態で保管するため、回収時にばら硬貨の状態で現送する際には、包装を解く必要のある包装硬貨の量が多く、回収作業効率が悪い問題がある。
【０００７】
本発明は、このような点に鑑みなされたもので、回収作業効率を向上できる硬貨処理装置および硬貨処理方法を提供することを目的とする。
【課題を解決するための手段】
【０００８】
請求項１記載の硬貨処理装置は、外部からばら硬貨を受け入れる硬貨処理装置であって、ばら硬貨を収納し、収納したばら硬貨を繰り出すばら硬貨収納繰出部と、ばら硬貨を収納するばら硬貨回収部と、ばら硬貨を包装する包装部と、前記包装部で包装された包装硬貨を収納し、収納した包装硬貨を繰り出す包装硬貨収納繰出部と、前記包装部で包装された包装硬貨を収納する包装硬貨回収部と、前記受け入れるばら硬貨を前記ばら硬貨収納繰出部に所定量収納した後の余剰分のばら硬貨を前記包装部で包装硬貨として前記包装硬貨収納繰出部に収納する第１の余剰ばら硬貨処理、前記包装硬貨収納繰出部に包装硬貨を所定量まで収納した後の前記余剰分のばら硬貨をばら硬貨回収部に収納する第２の余剰ばら硬貨処理を行う制御手段とを具備しているものである。
【０００９】
請求項２記載の硬貨処理装置は、請求項１記載の硬貨処理装置において、前記制御手段は、前記ばら硬貨回収部にばら硬貨を所定量収納した後の前記余剰分のばら硬貨を前記包装部で包装硬貨として前記包装硬貨回収部および前記包装硬貨収納繰出部のいずれか一方に満杯まで収納する第３の余剰ばら硬貨処理、前記包装硬貨回収部および前記包装硬貨収納繰出部のいずれか一方に包装硬貨を満杯まで収納した後の前記余剰分のばら硬貨を前記包装部で包装硬貨として前記包装硬貨回収部および前記包装硬貨収納繰出部のいずれか他方に満杯まで収納する第４の余剰ばら硬貨処理を行うものである。
【００１０】
請求項３記載の硬貨処理装置は、請求項１または２記載の硬貨処理装置において、前記ばら硬貨回収部は前記ばら硬貨収納繰出部に共用されており、前記制御手段は、前記ばら硬貨収納繰出部にばら硬貨を第１の所定量収納したら前記第１の余剰ばら硬貨処理を行い、前記第２の余剰ばら硬貨処理にて前記ばら硬貨収納繰出部にばら硬貨を第２の所定量収納したら前記第３の余剰ばら硬貨処理を行うものである。
【００１１】
請求項４記載の硬貨処理方法は、ばら硬貨を収納し、収納したばら硬貨を繰り出すばら硬貨収納繰出部と、ばら硬貨を収納するばら硬貨回収部と、ばら硬貨を包装する包装部と、前記包装部で包装された包装硬貨を収納し、収納した包装硬貨を繰り出す包装硬貨収納繰出部と、前記包装部で包装された包装硬貨を収納する包装硬貨回収部とを備え、外部からばら硬貨を受け入れる硬貨処理装置における硬貨処理方法であって、前記受け入れるばら硬貨を前記ばら硬貨収納繰出部に所定量収納した後の余剰分のばら硬貨を前記包装部で包装硬貨として前記包装硬貨収納繰出部に収納する第１の余剰ばら硬貨処理工程と、前記包装硬貨収納繰出部に包装硬貨を所定量収納した後の前記余剰分のばら硬貨を前記ばら硬貨回収部に収納する第２の余剰ばら硬貨処理工程とを具備しているものである。
【００１２】
請求項５記載の硬貨処理方法は、請求項４記載の硬貨処理方法において、前記ばら硬貨回収部にばら硬貨を所定量収納した後の前記余剰分のばら硬貨を前記包装部で包装硬貨として前記包装硬貨回収部および前記包装硬貨収納繰出部のいずれか一方に満杯まで収納する第３の余剰ばら硬貨処理工程と、前記包装硬貨回収部および前記包装硬貨収納繰出部のいずれか一方に包装硬貨を満杯まで収納した後の前記余剰分のばら硬貨を前記包装部で包装硬貨として前記包装硬貨回収部および前記包装硬貨収納繰出部のいずれか他方に満杯まで収納する第４の余剰ばら硬貨処理工程とを具備しているものである。
【００１３】
請求項６記載の硬貨処理方法は、請求項４または５記載の硬貨処理方法において、前記ばら硬貨回収部は前記ばら硬貨収納繰出部に共用されており、前記ばら硬貨収納繰出部にばら硬貨を第１の所定量収納したら前記第１の余剰ばら硬貨処理工程を行い、前記第２の余剰ばら硬貨処理工程にて前記ばら硬貨収納繰出部にばら硬貨を第２の所定量収納したら前記第３の余剰ばら硬貨処理工程を行うものである。
【発明の効果】
【００１４】
請求項１記載の硬貨処理装置によれば、受け入れるばら硬貨をばら硬貨収納繰出部に所定量収納した後の余剰分のばら硬貨を包装部で包装硬貨として包装硬貨収納繰出部に収納し、包装硬貨収納繰出部に包装硬貨を所定量まで収納した後の余剰分のばら硬貨をばら硬貨回収部に収納するため、装置内のばら硬貨の量を多くして、包装硬貨の量を少なくすることができ、回収時の回収作業効率を向上できる。
【００１５】
請求項２記載の硬貨処理装置によれば、請求項１記載の硬貨処理装置の効果に加えて、ばら硬貨回収部にばら硬貨を所定量収納した後の余剰分のばら硬貨を包装部で包装硬貨として包装硬貨回収部または包装硬貨収納繰出部に満杯まで収納するため、さらになる余剰分のばら硬貨の処理に対応できる。
【００１６】
請求項３記載の硬貨処理装置によれば、請求項１または２記載の硬貨処理装置の効果に加えて、ばら硬貨収納繰出部にばら硬貨を第１の所定量収納したら第１の余剰ばら硬貨処理を行い、第２の余剰ばら硬貨処理にてばら硬貨収納繰出部にばら硬貨を第２の所定量収納したら第３の余剰ばら硬貨処理を行うため、ばら硬貨収納繰出部とばら硬貨回収部とを共用し、簡素化できる。
【００１７】
請求項４記載の硬貨処理方法によれば、受け入れるばら硬貨をばら硬貨収納繰出部に所定量収納した後の余剰分のばら硬貨を包装部で包装硬貨として包装硬貨収納繰出部に収納し、包装硬貨収納繰出部に包装硬貨を所定量まで収納した後の余剰分のばら硬貨をばら硬貨回収部に収納するため、装置内のばら硬貨の量を多くして、包装硬貨の量を少なくすることができ、回収時の回収作業効率を向上できる。
【００１８】
請求項５記載の硬貨処理方法によれば、請求項４記載の硬貨処理方法の効果に加えて、ばら硬貨回収部にばら硬貨を所定量収納した後の余剰分のばら硬貨を包装部で包装硬貨として包装硬貨回収部または包装硬貨収納繰出部に満杯まで収納するため、さらになる余剰分のばら硬貨の処理に対応できる。
【００１９】
請求項６記載の硬貨処理方法によれば、請求項４または５記載の硬貨処理方法の効果に加えて、ばら硬貨収納繰出部にばら硬貨を第１の所定量収納したら第１の余剰ばら硬貨処理工程を行い、第２の余剰ばら硬貨処理工程にてばら硬貨収納繰出部にばら硬貨を第２の所定量収納したら第３の余剰ばら硬貨処理工程を行うため、ばら硬貨収納繰出部とばら硬貨回収部とを共用し、簡素化できる。
【図面の簡単な説明】
【００２０】
【図１】本発明の第１の実施の形態を示す硬貨処理装置のブロック図である。
【図２】同上硬貨処理装置の正面から見た断面図である。
【図３】同上硬貨処理装置の側面から見た断面図である。
【図４】同上硬貨処理装置のばら硬貨回収部および振分機構の平面図である。
【図５】同上硬貨処理装置のばら硬貨回収部および振分機構の側面図である。
【図６】本発明の第２の実施の形態を示す硬貨処理装置のばら硬貨収納繰出部の断面図である。
【発明を実施するための形態】
【００２１】
以下、本発明の第１の実施の形態を、図１ないし図５を参照して説明する。
【００２２】
図１ないし図３に示すように、硬貨処理装置10は、ばら状態の硬貨であるばら硬貨の入金および出金処理、ばら硬貨を包装して包装硬貨Ａを作成する包装処理、包装硬貨Ａの収納処理および出金処理などが行える。
【００２３】
硬貨処理装置10は、機体11を有し、この機体11の正面から見て左側の領域には主にばら硬貨を処理するばら硬貨処理部12が設置され、右側の領域には主に包装硬貨Ａを処理する包装硬貨処理部13が設置されている。
【００２４】
すなわち、機体11の左側の領域の上部に、ばら硬貨を外部から受け入れて処理する入金部15が配設されている。この入金部15の下側には、入金部15からばら硬貨を受け入れて一時保留する入金一時保留部16が配設されている。この入金一時保留部16の下側には、入金一時保留部16から収納するばら硬貨を受け入れて収納するとともに収納したばら硬貨を出金または包装するために繰り出すばら硬貨収納繰出部17が配設されている。また、機体11の前側には、ばら硬貨収納繰出部17から繰り出されるばら硬貨を収納するばら硬貨回収部としてのばら硬貨回収箱18と、ばら硬貨を出金する出金部としての出金箱19と、入金一時保留部16から返却するばら硬貨を受け入れる返却箱20とが、それぞれ機体11の前面から着脱可能に配設されている。さらに、ばら硬貨収納繰出部17から出金のために繰り出されたばら硬貨を受け入れて出金箱19に搬送する出金一時保留部21が上下方向に移動可能に配設されている。
【００２５】
機体11の右側の領域の下部には、ばら硬貨を包装して包装硬貨Ａを作成する包装部23が配設されている。この包装部23の上側には、包装部23で作成された包装硬貨Ａを金種別に収納する複数の包装硬貨収納繰出部24が上下方向に並設された第１の包装硬貨収納繰出部群25aおよび第２の包装硬貨収納繰出部群25bが左右方向に２列配設されている。また、機体11の前側には、包装硬貨Ａを出金する包装硬貨出金部26、および包装硬貨Ａを一括収納する一括収納部である包装硬貨回収部としての包装硬貨回収箱27が配設されている。さらに、包装部23および包装硬貨収納繰出部24と包装硬貨出金部26および包装硬貨回収箱27との間には、２列の包装硬貨収納繰出部群25a，25bに対応して包装硬貨Ａを搬送する搬送路28が配設されている。
【００２６】
そして、入金部15は、複数段の回転円盤を用いた硬貨供給装置31を有し、この硬貨供給装置31が外部から投入されるばら硬貨を受け入れて１枚ずつ硬貨通路32に繰り出す。硬貨通路32においては、ばら硬貨を識別部（図示せず）で識別し、分岐部（図示せず）で金種別に分岐して入金一時保留部16に送り込んでいる。
【００２７】
また、入金一時保留部16は、一時保留位置、収納位置および返却位置に水平移動可能とし、一時保留位置にて硬貨通路32から金種別に分岐されてくる硬貨を金種別に一時保留し、一時保留後に、ばら硬貨を収納する場合には収納位置に移動してばら硬貨をばら硬貨収納繰出部17に放出し、ばら硬貨を返却する場合には返却位置に移動してばら硬貨を返却箱20に放出する。
【００２８】
また、ばら硬貨収納繰出部17は、金種別に設けられていて機体11内の前後方向に沿って並設されている。ばら硬貨収納繰出部17は、入金一時保留部16から放出される硬貨を受け入れて収納するホッパ34、およびこのホッパ34の下部から硬貨を１枚ずつ繰り出す繰出機構35を備えている。
【００２９】
複数のばら硬貨収納繰出部17の側部には、ばら硬貨収納繰出部17から繰り出されたばら硬貨を受け入れて、出金時には出金一時保留部21に送り込み、包装時には包装部23へ送り込み、後述する余剰分のばら硬貨の収納時および回収時にはばら硬貨回収箱18側に送り込む送り機構36が配設されている。
【００３０】
また、ばら硬貨回収箱18は、底面四隅に車輪38を有していて走行可能に形成されており、図４および図５に示すように（なお、図４の符号Ｃはばら硬貨である）、金種別にばら硬貨を収納する金種別回収箱部39が前後方向に沿って並設されている。
【００３１】
図２に示すように、機体11内にはばら硬貨回収箱18を前方から着脱可能に装填される装填部40が形成されている。この装填部40の上方域に、ばら硬貨収納繰出部17から繰り出されたばら硬貨を受け入れて金種別回収箱部39に振り分けて収納する振分機構41が配設されている。図４および図５に示すように、振分機構41は、前後方向に沿って配設されたコンベヤ42、およびこのコンベヤ42上で金種別回収箱部39毎に対応して設けられた分岐ゲート43を有している。そして、ばら硬貨収納繰出部17から繰り出されて送り機構36を通じてコンベヤ42上に送り込まれるばら硬貨を、コンベヤ42で搬送しながら該当する金種の分岐ゲート43で分岐して金種別回収箱部39に収納させるように構成されている。
【００３２】
また、図２および図３に示すように、包装部23には、ばら硬貨を受け入れる回転円盤50、およびこの回転円盤50の回転によって１枚ずつ繰り出される硬貨を搬送する包装用通路51が配設されている。包装用通路51の下流域には、包装用通路51から送り込まれる硬貨を下部側から上方へ順次重積していって所定枚数の硬貨を重積する重積部52が設けられている。この重積部52には３本の包装ローラ53が配置されており、所定枚数重積した重積硬貨の周面を３本の包装ローラ53で挟持して回転させながら、重積硬貨の周囲に包装紙を巻き付け、包装紙の端部を重積硬貨の端面にかしめることにより、包装硬貨Ａを作成する。重積部52の下方には、重積部52から放出される包装硬貨Ａを受け入れて搬送路28へ送り出す包装硬貨送出機構54が配設されている。この包装硬貨送出機構54では、包装硬貨Ａの長さを測定して包装枚数が異常と判定した包装硬貨Ａや、包装枚数に達せずに重積部52から放出される端数のばら硬貨を側部に配置されている端数箱55に送り出す。端数箱55は、機体11から着脱可能とする。
【００３３】
また、包装硬貨収納繰出部24は、複数の包装硬貨Ａを前後方向に並べて搭載可能なトレイ状に設けられており、前端側へ向けて下降する傾斜状態でその傾斜方向に沿って前後方向に移動可能に支持されている。そして、各包装硬貨収納繰出部24は、駆動手段（図示せず）により、各包装硬貨収納繰出部24の前端側が前進する前進位置とこの前進位置より後退した定位置である後退位置との間で移動する。
【００３４】
包装硬貨収納繰出部群25a，25bの前部には、各包装硬貨収納繰出部24に対応して複数のストッパ部56aを設けたストッパ体56が上下方向に移動可能に配設されている。このストッパ体56は、下降位置において前進する包装硬貨収納繰出部24の最前部の包装硬貨Ａにストッパ部56aが当接するように構成され、また、上昇位置において、前進する包装硬貨収納繰出部24の包装硬貨Ａにストッパ部56aが接触しないように構成されている。
【００３５】
また、搬送路28は、第１の包装硬貨収納繰出部群25a、包装硬貨出金部26および包装硬貨回収箱27に対応して包装硬貨Ａを搬送可能に配設された第１の搬送路28aと、包装部23、第２の包装硬貨収納繰出部群25b、包装硬貨出金部26および包装硬貨回収箱27に対応して包装硬貨Ａを搬送可能に配設された第２の搬送路28bと、これら搬送路28a，28bの上部間に配設された受渡部28cとを備えている。
【００３６】
各搬送路28a，28bは、包装硬貨Ａを搬送する無端状の搬送ベルト58を有し、この搬送ベルト58が上下のローラ59によって回動可能に張設されている。この搬送ベルト58の周面には包装硬貨Ａを載せて支持する複数の支持部60が突設されている。
【００３７】
搬送ベルト58は、搬送駆動手段によって正転（図３反時計回り方向）および逆転（図３時計回り方向）可能とし、正転時において支持部60に包装硬貨Ａを１本ずつ載せて上方へ搬送可能とする。搬送ベルト58の周囲には、搬送ベルト58との間で包装硬貨Ａをガイドするガイド体61が配設されている。
【００３８】
受渡部28cは、両搬送路28a，28b間で包装硬貨Ａを水平方向に搬送可能なコンベヤ63、および各搬送路28a，28bとコンベヤ63との間で包装硬貨Ａを受け渡すための受渡部材64を備えている。
【００３９】
ここで、包装硬貨収納繰出部24への包装硬貨Ａの収納、および包装硬貨収納繰出部24からの包装硬貨Ａの取り出しについて説明しておく。包装硬貨収納繰出部24への包装硬貨Ａの収納時には、包装部23で作成された包装硬貨Ａ、または別の包装硬貨収納繰出部24から移動させるために取り出された包装硬貨Ａを搬送ベルト58の支持部60に支持して搬送し、その包装硬貨Ａを収納する包装硬貨収納繰出部24の位置より上方に一旦停止させた後、包装硬貨Ａを収納する包装硬貨収納繰出部24を前進させ、前進する包装硬貨収納繰出部24の最前部の包装硬貨Ａを下降位置にあるストッパ体56のストッパ部56aで押さえ、包装硬貨収納繰出部24の最前部に包装硬貨Ａを収納するためのスペースを形成し、さらに、搬送ベルト58で包装硬貨Ａを下降させて包装硬貨収納繰出部24の最前部のスペースに受け渡し、包装硬貨収納繰出部24を後退させる。一方、包装硬貨収納繰出部24からの包装硬貨Ａの取り出し時には、包装硬貨収納繰出部24の包装硬貨Ａに対してストッパ体56のストッパ部56aが接触しないように上方位置へ退避させた状態で、包装硬貨収納繰出部24を前進させ、包装硬貨収納繰出部24の最前部の包装硬貨Ａを搬送ベルト58の支持部60ですくい上げ、包装硬貨収納繰出部24を後退させる。
【００４０】
また、各搬送路28a，28bには、包装硬貨Ａを選択的に受け取って包装硬貨出金部26および包装硬貨回収箱27にそれぞれ収納させる受取部材66，67が設けられている。
【００４１】
また、機体11の前面下部には、包装硬貨Ａが投出される包装硬貨投出口69が設けられている。包装硬貨投出口69に対応して、第２の搬送路28bから包装硬貨Ａを選択的に受け取って包装硬貨投出口69へ投出させる受取部材70が設けられている。
【００４２】
また、硬貨処理装置10は、この硬貨処理装置10を制御する制御手段73を備えている。この制御手段73は、入金部15から受け入れるばら硬貨をばら硬貨収納繰出部17に所定量収納した後の余剰分のばら硬貨を包装部23で包装硬貨Ａとして包装硬貨収納繰出部24に収納する第１の余剰ばら硬貨処理、包装硬貨収納繰出部24に包装硬貨Ａを所定量まで収納した後の余剰分のばら硬貨をばら硬貨回収箱18に収納する第２の余剰ばら硬貨処理、ばら硬貨回収箱18にばら硬貨を所定量収納した後の余剰分のばら硬貨を包装部23で包装硬貨Ａとして包装硬貨回収箱27に満杯まで収納する第３の余剰ばら硬貨処理、包装硬貨回収箱27に包装硬貨Ａを満杯まで収納した後の余剰分のばら硬貨を包装部23で包装硬貨Ａとして包装硬貨収納繰出部24に満杯まで収納する第４の余剰ばら硬貨処理を行う機能を有している。
【００４３】
次に、硬貨処理装置10の動作を説明する。
【００４４】
ばら硬貨の入金処理時には、入金部15の硬貨供給装置31に投入された硬貨を１枚ずつ硬貨通路32に繰り出し、硬貨通路32で硬貨を識別して金種別に分岐し、分岐した硬貨を入金一時保留部16に金種別に一時保留する。
【００４５】
一時保留後に入金が承認されると、入金一時保留部16が収納位置に移動して硬貨を放出し、ばら硬貨収納繰出部17に金種別に収納する。
【００４６】
一時保留後に返却が指示されると、入金一時保留部16が返却位置に移動して硬貨を放出し、返却箱20に返却する。
【００４７】
また、ばら硬貨の出金処理時には、出金該当金種のばら硬貨収納繰出部17から必要な出金枚数分の硬貨を繰り出し、送り機構36を通じて出金一時保留部21に送り込む。出金額分の硬貨が出金一時保留部21に送り込まれた後、出金一時保留部21が上昇して硬貨を放出し、出金箱19に出金する。
【００４８】
また、包装硬貨Ａの出金処理時には、出金該当金種の包装硬貨収納繰出部24から搬送路28によって包装硬貨Ａを取り出し、包装硬貨出金部26に搬送して出金する。
【００４９】
また、硬貨処理装置10の運用中には、ばら硬貨収納繰出部17のばら硬貨の収納量が所定量以上となったか監視している。ばら硬貨収納繰出部17のばら硬貨の収納量が所定量以上になったか否かの判断は、入金処理時に識別部でばら硬貨を識別して得られた金種別の入金情報に基づく収納枚数のカウント値で判断してもよいし、ばら硬貨収納繰出部17の所定の高さ位置に設置された光センサがばら硬貨によって遮光されることによって判断してもよい。
【００５０】
ある金種のばら硬貨収納繰出部17のばら硬貨の収納量が所定量以上になった場合には、ばら硬貨収納繰出部17のばら硬貨の収納量が所定量より少なくなるまでの間に入金されてくるばら硬貨を余剰分のばら硬貨として扱って処理する。入金されてくるばら硬貨は、ばら硬貨収納繰出部17に一旦収納された後、ばら硬貨収納繰出部17から繰り出されて処理される。
【００５１】
そして、まず最初に、余剰分のばら硬貨を第１の余剰ばら硬貨処理によって処理する（図１の第１の余剰ばら硬貨処理ルートR1を参照）。
【００５２】
第１の余剰ばら硬貨処理では、ばら硬貨収納繰出部17から余剰分のばら硬貨を繰り出して包装部23に送り、包装部23で包装した包装硬貨Ａを該当金種の包装硬貨収納繰出部24に収納する。包装硬貨収納繰出部24には、予め設定された満杯より少ない所定量つまり所定本数（包装硬貨Ａの出金に備えて必要な本数）の包装硬貨Ａを収納する。なお、同一該当金種の包装硬貨収納繰出部24が複数ある場合には、全ての同一該当金種の包装硬貨収納繰出部24に包装硬貨Ａを所定本数ずつ順次収納する。
【００５３】
また、第１の余剰ばら硬貨処理にて包装硬貨収納繰出部24の包装硬貨Ａの収納本数が所定本数に達しても、余剰分のばら硬貨の処理が完了していない場合あるいは新たな入金によって余剰分のばら硬貨が発生した場合には、余剰分のばら硬貨を第２の余剰ばら硬貨処理によって処理する（図１の第２の余剰ばら硬貨処理ルートR2を参照）。
【００５４】
第２の余剰ばら硬貨処理では、ばら硬貨収納繰出部17から余剰分のばら硬貨を繰り出してばら硬貨回収箱18に金種別に回収する。ばら硬貨回収箱18には、予め設定された所定量である現送枚数分のばら硬貨を収納可能とする。ばら硬貨回収箱18のばら硬貨の収納量が現送枚数になったか否かの判断は、ばら硬貨収納繰出部17から繰り出したばら硬貨のカウント値で判断してもよいし、ばら硬貨回収箱18の所定の高さ位置に設置された光センサがばら硬貨によって遮光されることによって判断してもよい。
【００５５】
また、第２の余剰ばら硬貨処理にてばら硬貨回収箱18のばら硬貨の収納量が現送枚数に達しても、余剰分のばら硬貨の処理が完了していない場合あるいは新たな入金によって余剰分のばら硬貨が発生した場合には、余剰分のばら硬貨を第３の余剰ばら硬貨処理によって処理する（図１の第３の余剰ばら硬貨処理ルートR3を参照）。
【００５６】
第３の余剰ばら硬貨処理では、ばら硬貨収納繰出部17から余剰分のばら硬貨を繰り出して包装部23に送り、包装部23で包装した包装硬貨Ａを包装硬貨回収箱27に収納する。包装硬貨回収箱27には、予め設定された満杯分の包装硬貨Ａを収納可能とする。包装硬貨回収箱27の包装硬貨Ａの収納量が満杯になったか否かの判断は、包装部23で包装した包装硬貨Ａのカウント値で判断してもよいし、包装硬貨回収箱27の所定の高さ位置に設置された光センサが包装硬貨Ａによって遮光されることによって判断してもよい。
【００５７】
また、第３の余剰ばら硬貨処理にて包装硬貨回収箱27の包装硬貨Ａの収納量が満杯に達しても、余剰分のばら硬貨の処理が完了していない場合あるいは新たな入金によって余剰分のばら硬貨が発生した場合には、余剰分のばら硬貨を第４の余剰ばら硬貨処理によって処理する（図１の第４の余剰ばら硬貨処理ルートR4を参照）。
【００５８】
第４の余剰ばら硬貨処理では、ばら硬貨収納繰出部17から余剰分のばら硬貨を繰り出して包装部23に送り、包装部23で包装した包装硬貨Ａを該当金種の包装硬貨収納繰出部24に収納する。包装硬貨収納繰出部24には、予め設定された満杯分の包装硬貨Ａを収納可能とする。なお、同一該当金種の包装硬貨収納繰出部24が複数ある場合には、全ての同一該当金種の包装硬貨収納繰出部24に包装硬貨Ａを順次収納する。
【００５９】
なお、制御手段73は、包装硬貨収納繰出部24に収納されている包装硬貨Ａの本数を管理しており、収納可能な包装硬貨Ａの本数がわかっているため、余剰分のばら硬貨の量が収納可能な包装硬貨Ａの本数に対応したばら硬貨の量より多い場合には、ばら硬貨収納繰出部17からは収納可能な包装硬貨Ａの本数に対応した量のばら硬貨を繰り出す。
【００６０】
また、第４の余剰ばら硬貨処理にて包装硬貨収納繰出部24の包装硬貨Ａの収納量が満杯に達しても、余剰分のばら硬貨の処理が完了していない場合あるいは新たな入金によって余剰分のばら硬貨が発生した場合には、硬貨処理装置10の運用を停止して、割り込み回収処理をする。割り込み回収処理では、係員が機体11からばら硬貨回収箱18や包装硬貨回収箱27を取り出して回収し、空としたばら硬貨回収箱18や包装硬貨回収箱27を装着する。これにより、第２の余剰ばら硬貨処理、および第３の余剰ばら硬貨処理が可能となり、硬貨処理装置10の運用を再開する。
【００６１】
なお、余剰分のばら硬貨の処理が完了していない場合あるいは新たな入金によって余剰分のばら硬貨が発生した場合には、第１、第２、第３および第４の順に優先して余剰ばら硬貨処理を行うが、包装硬貨Ａの出金処理によって包装硬貨収納繰出部24の包装硬貨Ａの収納量が減少すれば、第１または第４の余剰ばら硬貨処理が可能となり、また、ばら硬貨の出金処理によって余剰分のばら硬貨が無くなれば余剰ばら硬貨処理を中止する。
【００６２】
また、硬貨処理装置10内からの硬貨の回収処理時には、ばら硬貨収納繰出部17内のばら硬貨を繰り出してばら硬貨回収箱18に収納して回収する。あるいは、硬貨処理装置10の外面にばら硬貨収納用の袋が装着される袋取り部が設けられ、ばら硬貨収納繰出部17から繰り出されたばら硬貨を硬貨処理装置10の内部機構を通じて袋取り部に搬送するように構成されている場合には、ばら硬貨を袋に収納して回収する。
【００６３】
包装硬貨収納繰出部24内の包装硬貨Ａは、包装硬貨回収箱27に搬送して回収したり、包装硬貨出金部26に搬送して回収する。ばら硬貨の状態で現送する場合には、回収する包装硬貨の包装を解いてばら状態としたばら硬貨を袋に収納して回収する。
【００６４】
そして、このように構成されている硬貨処理装置10では、受け入れるばら硬貨をばら硬貨収納繰出部17に所定量収納した後の余剰分のばら硬貨を包装部23で包装硬貨Ａとして包装硬貨収納繰出部24に収納し、包装硬貨収納繰出部24に包装硬貨Ａを所定量まで収納した後の余剰分のばら硬貨をばら硬貨回収箱18に収納していることにより、従来のように余剰分のばら硬貨を全て包装してしまう場合に比べて、装置内のばら硬貨の量を極力多くし、それによって包装硬貨Ａの量を極力少なくすることができるため、ばら硬貨の状態で現送する場合でも包装を解かなければならない包装硬貨Ａの量が少なく、回収作業効率を向上できる。
【００６５】
さらに、ばら硬貨回収箱18にばら硬貨を所定量収納した後の余剰分のばら硬貨を包装部23で包装硬貨Ａとして包装硬貨回収箱27や包装硬貨収納繰出部24に満杯まで収納するため、さらになる余剰分のばら硬貨の処理に対応できる。
【００６６】
次に、図６に第２の実施の形態を示す。なお、第１の実施の形態と同じ構成および作用効果については同じ符号を用いてその説明を省略する。
【００６７】
第２の実施の形態では、ばら硬貨収納繰出部17が、ばら硬貨回収部（ばら硬貨回収箱18）を共用している例である。
【００６８】
ばら硬貨収納繰出部17には、ばら硬貨の収納量を余剰と判定して第１の余剰ばら硬貨処理の実施を判断する第１の所定量レベルL1（例えば４００〜６００枚）、この第１の所定量レベルL1よりも高く第３の余剰ばら硬貨処理の実施を判断する第２の所定量レベルL2（例えば２０００〜４０００枚）、満杯と判定する満杯レベルL3をそれぞれ設定する。各レベルの判断は、入金処理時に識別部でばら硬貨を識別して得られた金種別の入金情報に基づく収納枚数のカウント値で判断してもよいし、ばら硬貨収納繰出部17の各レベルの高さ位置に設置された光センサがばら硬貨によって遮光されることによって判断してもよい。
【００６９】
そして、ばら硬貨収納繰出部17のばら硬貨の収納量が第１の所定量レベルL1を超えた場合には、第１の余剰ばら硬貨処理を行い、ばら硬貨収納繰出部17から余剰分のばら硬貨を繰り出すとともに包装部23で包装硬貨Ａとして包装硬貨収納繰出部24に収納する。
【００７０】
第１の余剰ばら硬貨処理にて包装硬貨収納繰出部24の包装硬貨Ａの収納本数が所定本数に達しても、余剰分のばら硬貨の処理が完了していない場合あるいは新たな入金によって余剰分のばら硬貨が発生した場合には、第２の余剰ばら硬貨処理を行い、余剰分のばら硬貨をばら硬貨収納繰出部17に第２の所定量レベルL2まで収納する。
【００７１】
第２の余剰ばら硬貨処理にてばら硬貨収納繰出部17にばら硬貨の収納量が第２の所定量レベルL2に達した場合には、第３の余剰ばら硬貨処理を行い、ばら硬貨収納繰出部17から余剰分のばら硬貨を繰り出すとともに包装部23で包装硬貨Ａとして包装硬貨回収箱27に収納する。
【００７２】
このように、ばら硬貨収納繰出部17とばら硬貨回収部（ばら硬貨回収箱18）とを共用しても、余剰ばら硬貨処理を実施できるとともに、硬貨処理装置10の構成を簡素化できる。
【００７３】
また、第２の所定量レベルL2より高い位置に満杯レベルL3を設定しているため、第４の余剰ばら硬貨処理にて包装硬貨収納繰出部24が満杯になっても、割り込み回収処理が行われるまでに、何回かの入金処理を行うことが可能となり、硬貨処理装置10の運用効率を高くできる。
【００７４】
なお、図１に示す第１の実施の形態および図６に示す第２の実施の形態のいずれにおいても、第３の余剰ばら硬貨処理と第４の余剰ばら硬貨処理とは逆の順序で行うようにしてもよい。第４の余剰ばら硬貨処理を優先することにより、包装硬貨回収箱27に収納して出金に利用できなくなってしまう包装硬貨Ａを少なくすることができる。
【符号の説明】
【００７５】
10    硬貨処理装置
17    ばら硬貨収納繰出部
18    ばら硬貨回収部としてのばら硬貨回収箱
23    包装部
24    包装硬貨収納繰出部
27    包装硬貨回収部としての包装硬貨回収箱
73    制御手段
Ａ    包装硬貨
Ｃ    ばら硬貨
【図１】
2014123225.tif 000003
【図２】
2014123225.tif 000004
【図３】
2014123225.tif 000005
【図４】
2014123225.tif 000006
【図５】
2014123225.tif 000007
【図６】
2014123225.tif 000008